(57)【要約】【課題】医療従事者がオンライン上でも安心して情報共有を行えるソーシャルネットワーキングのプラットフォームを提供可能な医療従事者専用プラットフォーム提供システム、医療従事者専用プラットフォーム提供方法、及びプログラムを提供することを課題とする。【解決手段】本発明は、端末装置から送信された医師会員情報又は医薬情報担当者会員情報がサーバ装置に記憶された会員情報に対応するか否かを判定し、記憶された会員情報に対応すると判定された場合には、対象の医師会員間、あるいは、対象の医師会員と対象の医薬情報担当者会員情報との間のコミュニケーションプラットフォームを、サーバ装置から対象の端末装置へ提供する。そして、対象の端末装置では、コミュニケーションプラットフォームの各種コンテンツが、医師会員毎または医薬情報担当者会員毎に定められた所定条件に従って表示部に表示される。【選択図】図１
2016095818.tif 000002
【特許請求の範囲】
【請求項１】
制御部と記憶部とを少なくとも備えたサーバ装置と、制御部と入力部と表示部とを少なくとも備えた端末装置と、が通信可能に接続されて構成される医療従事者専用プラットフォーム提供システムであって、
前記サーバ装置の前記記憶部は、
所定の医師会員登録条件を満たす医師会員情報を記憶する医師会員情報記憶手段と、
所定の医薬情報担当者会員登録条件を満たす医薬情報担当者会員情報を記憶する医薬情報担当者会員情報記憶手段と、
を少なくとも備え、
前記サーバ装置の前記制御部は、
前記端末装置の前記入力部を介して入力される前記医師会員情報又は前記医薬情報担当者会員情報を受信する会員情報受信手段と、
前記会員情報受信手段により受信された前記医師会員情報又は前記医薬情報担当者会員情報が、前記医師会員情報記憶手段又は前記医薬情報担当者会員情報記憶手段に記憶された会員情報に対応するか否かを判定する会員情報判定手段と、
前記会員情報判定手段により前記医師会員情報記憶手段又は前記医薬情報担当者会員情報記憶手段に記憶された会員情報に対応すると判定された場合には、対象の前記医師会員情報により特定される医師会員間、あるいは、対象の前記医師会員情報により特定される医師会員と対象の前記医薬情報担当者会員情報との間のコミュニケーションプラットフォームを、前記医師会員情報又は前記医薬情報担当者会員情報が入力された対象の前記端末装置へ提供するプラットフォーム提供手段と、
を備え、
前記端末装置の前記制御部は、
前記プラットフォーム提供手段により提供された前記コミュニケーションプラットフォームの各種コンテンツを、前記医師会員毎に定められた所定条件、または、前記医薬情報担当者会員毎に定められた所定条件に従って、前記表示部に表示させる表示制御手段、
を備えることを特徴とする医療従事者専用プラットフォーム提供システム。
【請求項２】
前記医師会員登録条件は、氏名、勤務先、登録免許番号、及び、登録免許の画像データを少なくとも含み、
前記サーバ装置の前記制御部は、
前記端末装置の前記入力部を介して入力され送信される前記医師会員情報が前記医師会員登録条件を満たすか否かを判定し、当該医師会員登録条件を満たす場合に、当該医師会員情報を前記医師会員情報記憶手段に登録する会員登録手段、
を更に備えることを特徴とする請求項１に記載の医療従事者専用プラットフォーム提供システム。
【請求項３】
前記サーバ装置の前記制御部は、
前記端末装置から送信される前記医師会員情報が前記医師会員登録条件を満たすか否かを判定し、当該医師会員登録条件を満たさない場合に、当該医師会員情報の再送を要求するエラーメッセージを前記端末装置へ送信するエラーメッセージ送信手段、
を更に備え、
前記端末装置の前記表示制御部は、
前記サーバ装置から送信される前記エラーメッセージを前記表示部に表示させることを特徴とする請求項２に記載の医療従事者専用プラットフォーム提供システム。
【請求項４】
前記サーバ装置の前記制御部は、
前記端末装置から再送される前記医師会員情報が前記医師会員登録条件を満たすか否かを判定し、当該医師会員登録条件を満たさない場合には、当該医師会員情報を前記医師会員情報記憶手段に登録しない、或いは、前記医師会員情報が前記医師会員情報記憶手段に既に登録済みの場合には、対象の前記医師会員情報を前記医師会員情報記憶手段から削除する会員管理手段、
を更に備える請求項３に記載の医療従事者専用プラットフォーム提供システム。
【請求項５】
制御部と記憶部とを少なくとも備えたサーバ装置と、制御部と入力部と表示部とを少なくとも備えた端末装置と、が通信可能に接続されて構成される医療従事者専用プラットフォーム提供システムにおいて実行される医療従事者専用プラットフォーム提供方法であって、
前記サーバ装置の前記記憶部は、
所定の医師会員登録条件を満たす医師会員情報を記憶する医師会員情報記憶手段と、
所定の医薬情報担当者会員登録条件を満たす医薬情報担当者会員情報を記憶する医薬情報担当者会員情報記憶手段と、
を少なくとも備え、
前記サーバ装置の前記制御部において実行される、前記端末装置の前記入力部を介して入力される前記医師会員情報又は前記医薬情報担当者会員情報を受信する会員情報受信ステップと、
前記サーバ装置の前記制御部において実行される、前記会員情報受信ステップにて受信された前記医師会員情報又は前記医薬情報担当者会員情報が、前記医師会員情報記憶手段又は前記医薬情報担当者会員情報記憶手段に記憶された会員情報に対応するか否かを判定する会員情報判定ステップと、
前記サーバ装置の前記制御部において実行される、前記会員情報判定ステップにて前記医師会員情報記憶手段又は前記医薬情報担当者会員情報記憶手段に記憶された会員情報に対応すると判定された場合には、対象の前記医師会員情報により特定される医師会員間、あるいは、対象の前記医師会員情報により特定される医師会員と対象の前記医薬情報担当者会員情報との間のコミュニケーションプラットフォームを、前記医師会員情報又は前記医薬情報担当者会員情報が入力された対象の前記端末装置へ提供するプラットフォーム提供ステップと、
前記端末装置の前記制御部において実行される、前記プラットフォーム提供ステップにて提供された前記コミュニケーションプラットフォームの各種コンテンツを、前記医師会員毎に定められた所定条件、または、前記医薬情報担当者会員毎に定められた所定条件に従って、前記表示部に表示させる表示制御ステップと、
を含むことを特徴とする医療従事者専用プラットフォーム提供方法。
【請求項６】
前記医師会員登録条件は、氏名、勤務先、登録免許番号、及び、登録免許の画像データを少なくとも含み、
前記医療従事者専用プラットフォーム提供方法は、
前記サーバ装置の前記制御部において実行される、前記端末装置の前記入力部を介して入力され送信される前記医師会員情報が前記医師会員登録条件を満たすか否かを判定し、当該医師会員登録条件を満たす場合に、当該医師会員情報を前記医師会員情報記憶手段に登録する会員登録ステップ、
を更に含むことを特徴とする請求項５に記載の医療従事者専用プラットフォーム提供方法。
【請求項７】
前記医療従事者専用プラットフォーム提供方法は、
前記サーバ装置の前記制御部において実行される、前記端末装置から送信される前記医師会員情報が前記医師会員登録条件を満たすか否かを判定し、当該医師会員登録条件を満たさない場合に、当該医師会員情報の再送を要求するエラーメッセージを前記端末装置へ送信するエラーメッセージ送信ステップ、
を更に含み、
前記端末装置の前記表示制御ステップにおいて、
前記サーバ装置から送信される前記エラーメッセージを前記表示部に表示させることを特徴とする請求項６に記載の医療従事者専用プラットフォーム提供方法。
【請求項８】
前記医療従事者専用プラットフォーム提供方法は、
前記サーバ装置の前記制御部において実行される、前記端末装置から再送される前記医師会員情報が前記医師会員登録条件を満たすか否かを判定し、当該医師会員登録条件を満たさない場合には、当該医師会員情報を前記医師会員情報記憶手段に登録しない、或いは、前記医師会員情報が前記医師会員情報記憶手段に既に登録済みの場合には、対象の前記医師会員情報を前記医師会員情報記憶手段から削除する会員管理ステップ、
を更に含む請求項７に記載の医療従事者専用プラットフォーム提供方法。
【請求項９】
端末装置と通信可能に接続された制御部と記憶部とを少なくとも備えたサーバ装置に実行させるためのプログラムであって、
前記記憶部は、
所定の医師会員登録条件を満たす医師会員情報を記憶する医師会員情報記憶手段と、
所定の医薬情報担当者会員登録条件を満たす医薬情報担当者会員情報を記憶する医薬情報担当者会員情報記憶手段と、
を少なくとも備え、
前記制御部において、
前記端末装置の前記入力部を介して入力される前記医師会員情報又は前記医薬情報担当者会員情報を受信する会員情報受信ステップと、
前記会員情報受信ステップにて受信された前記医師会員情報又は前記医薬情報担当者会員情報が、前記医師会員情報記憶手段又は前記医薬情報担当者会員情報記憶手段に記憶された会員情報に対応するか否かを判定する会員情報判定ステップと、
前記会員情報判定ステップにて前記医師会員情報記憶手段又は前記医薬情報担当者会員情報記憶手段に記憶された会員情報に対応すると判定された場合には、対象の前記医師会員情報により特定される医師会員間、あるいは、対象の前記医師会員情報により特定される医師会員と対象の前記医薬情報担当者会員情報との間のコミュニケーションプラットフォームを、前記医師会員情報又は前記医薬情報担当者会員情報が入力された対象の前記端末装置へ提供するプラットフォーム提供ステップと、
を実行させ、
前記端末装置において、前記プラットフォーム提供ステップにて提供された前記コミュニケーションプラットフォームの各種コンテンツは、前記医師会員毎に定められた所定条件、または、前記医薬情報担当者会員毎に定められた所定条件に従って、当該端末装置が備える表示部に表示されることを特徴とするプログラム。
【発明の詳細な説明】
【技術分野】
【０００１】  本発明は、医療従事者専用プラットフォーム提供システム、医療従事者専用プラットフォーム提供方法、及びプログラムに関する。
【背景技術】
【０００２】  従来、インターネットサービスの利用した各種ソーシャルネットワーキングシステムが報告されている（非特許文献１乃至４等）。【０００３】  一方で、近年、日々めまぐるしく進歩する医学分野においては、治療の高度化や複雑化に伴い、医師や製薬企業等の医療従事者から、互いが必要とする専門性の高い情報を迅速かつ効率的に共有することが求められている。
【先行技術文献】
【非特許文献】
【０００４】
【非特許文献１】“Ｆａｃｅｂｏｏｋ”、［平成２６年１１月１日検索］、インターネット（ＵＲＬ：ｈｔｔｐ：／／ｗｗｗ．ｆａｃｅｂｏｏｋ．ｃｏｍ／）
【非特許文献２】“ＧＲＥＥ”、［平成２６年１１月１日検索］、インターネット（ＵＲＬ：ｈｔｔｐ：／／ｇｒｅｅ．ｊｐ／）
【非特許文献３】“ｍｉｘｉ”、［平成２６年１１月１日検索］、インターネット（ＵＲＬ：ｈｔｔｐ：／／ｍｉｘｉ．ｊｐ／）
【非特許文献４】“Ｌｉｎｋｅｄｉｎ”、［平成２６年１１月１日検索］、インターネット（ＵＲＬ：ｈｔｔｐ：／／ｗｗｗ．ｌｉｎｋｅｄｉｎ．ｃｏｍ／）
【発明の概要】
【発明が解決しようとする課題】
【０００５】  ところで、医療従事者間で専門性の高い情報の迅速かつ効率的に共有するためには、インターネットサービス等の利用は必要不可欠であるが、医療情報は人命に関わる極めてセンシティブな情報を扱う特性上、安易に一般のネットワークサービスを利用することはできない。この点につき、従来のソーシャルネットワーキングシステム（非特許文献１乃至４等）においては、改善の余地があった。【０００６】  本発明は、上記を鑑みてなされたもので、医療従事者（医師や医薬情報担当者等）がオンライン上でも安心して情報共有を行えるソーシャルネットワーキングのプラットフォームを提供可能な医療従事者専用プラットフォーム提供システム、医療従事者専用プラットフォーム提供方法、及びプログラムを提供することを目的とする。
【課題を解決するための手段】
【０００７】  上記目的を達成するため、本発明の医療従事者専用プラットフォーム提供システムは、制御部と記憶部とを少なくとも備えたサーバ装置と、制御部と入力部と表示部とを少なくとも備えた端末装置と、が通信可能に接続されて構成される医療従事者専用プラットフォーム提供システムであって、前記サーバ装置の前記記憶部は、所定の医師会員登録条件を満たす医師会員情報を記憶する医師会員情報記憶手段と、所定の医薬情報担当者会員登録条件を満たす医薬情報担当者会員情報を記憶する医薬情報担当者会員情報記憶手段と、を少なくとも備え、前記サーバ装置の前記制御部は、前記端末装置の前記入力部を介して入力される前記医師会員情報又は前記医薬情報担当者会員情報を受信する会員情報受信手段と、前記会員情報受信手段により受信された前記医師会員情報又は前記医薬情報担当者会員情報が、前記医師会員情報記憶手段又は前記医薬情報担当者会員情報記憶手段に記憶された会員情報に対応するか否かを判定する会員情報判定手段と、前記会員情報判定手段により前記医師会員情報記憶手段又は前記医薬情報担当者会員情報記憶手段に記憶された会員情報に対応すると判定された場合には、対象の前記医師会員情報により特定される医師会員間、あるいは、対象の前記医師会員情報により特定される医師会員と対象の前記医薬情報担当者会員情報との間のコミュニケーションプラットフォームを、前記医師会員情報又は前記医薬情報担当者会員情報が入力された対象の前記端末装置へ提供するプラットフォーム提供手段と、を備え、前記端末装置の前記制御部は、前記プラットフォーム提供手段により提供された前記コミュニケーションプラットフォームの各種コンテンツを、前記医師会員毎に定められた所定条件、または、前記医薬情報担当者会員毎に定められた所定条件に従って、前記表示部に表示させる表示制御手段、を備えることを特徴とする。【０００８】  上記医療従事者専用プラットフォーム提供システムにおいて、前記医師会員登録条件は、氏名、勤務先、登録免許番号、及び、登録免許の画像データを少なくとも含み、前記サーバ装置の前記制御部は、前記端末装置の前記入力部を介して入力され送信される前記医師会員情報が前記医師会員登録条件を満たすか否かを判定し、当該医師会員登録条件を満たす場合に、当該医師会員情報を前記医師会員情報記憶手段に登録する会員登録手段、を更に備えることが好ましい。【０００９】  上記医療従事者専用プラットフォーム提供システムにおいて、前記サーバ装置の前記制御部は、前記端末装置から送信される前記医師会員情報が前記医師会員登録条件を満たすか否かを判定し、当該医師会員登録条件を満たさない場合に、当該医師会員情報の再送を要求するエラーメッセージを前記端末装置へ送信するエラーメッセージ送信手段、を更に備え、前記端末装置の前記表示制御部は、前記サーバ装置から送信される前記エラーメッセージを前記表示部に表示させることが好ましい。【００１０】  上記医療従事者専用プラットフォーム提供システムにおいて、前記サーバ装置の前記制御部は、前記端末装置から再送される前記医師会員情報が前記医師会員登録条件を満たすか否かを判定し、当該医師会員登録条件を満たさない場合には���当該医師会員情報を前記医師会員情報記憶手段に登録しない、或いは、前記医師会員情報が前記医師会員情報記憶手段に既に登録済みの場合には、対象の前記医師会員情報を前記医師会員情報記憶手段から削除する会員管理手段、を更に備えることが好ましい。【００１１】  上記目的を達成するため、本発明の医療従事者専用プラットフォーム提供方法は、制御部と記憶部とを少なくとも備えたサーバ装置と、制御部と入力部と表示部とを少なくとも備えた端末装置と、が通信可能に接続されて構成される医療従事者専用プラットフォーム提供システムにおいて実行される医療従事者専用プラットフォーム提供方法であって、前記サーバ装置の前記記憶部は、所定の医師会員登録条件を満たす医師会員情報を記憶する医師会員情報記憶手段と、所定の医薬情報担当者会員登録条件を満たす医薬情報担当者会員情報を記憶する医薬情報担当者会員情報記憶手段と、を少なくとも備え、前記サーバ装置の前記制御部において実行される、前記端末装置の前記入力部を介して入力される前記医師会員情報又は前記医薬情報担当者会員情報を受信する会員情報受信ステップと、前記サーバ装置の前記制御部において実行される、前記会員情報受信ステップにて受信された前記医師会員情報又は前記医薬情報担当者会員情報が、前記医師会員情報記憶手段又は前記医薬情報担当者会員情報記憶手段に記憶された会員情報に対応するか否かを判定する会員情報判定ステップと、前記サーバ装置の前記制御部において実行される、前記会員情報判定ステップにて前記医師会員情報記憶手段又は前記医薬情報担当者会員情報記憶手段に記憶された会員情報に対応すると判定された場合には、対象の前記医師会員情報により特定される医師会員間、あるいは、対象の前記医師会員情報により特定される医師会員と対象の前記医薬情報担当者会員情報との間のコミュニケーションプラットフォームを、前記医師会員情報又は前記医薬情報担当者会員情報が入力された対象の前記端末装置へ提供するプラットフォーム提供ステップと、前記端末装置の前記制御部において実行される、前記プラットフォーム提供ステップにて提供された前記コミュニケーションプラットフォームの各種コンテンツを、前記医師会員毎に定められた所定条件、または、前記医薬情報担当者会員毎に定められた所定条件に従って、前記表示部に表示させる表示制御ステップと、を含むことを特徴とする。【００１２】  上記医療従事者専用プラットフォーム提供方法において、前記医師会員登録条件は、氏名、勤務先、登録免許番号、及び、登録免許の画像データを少なくとも含み、前記医療従事者専用プラットフォーム提供方法は、前記サーバ装置の前記制御部において実行される、前記端末装置の前記入力部を介して入力され送信される前記医師会員情報が前記医師会員登録条件を満たすか否かを判定し、当該医師会員登録条件を満たす場合に、当該医師会員情報を前記医師会員情報記憶手段に登録する会員登録ステップ、を更に含むことが好ましい。【００１３】  上記医療従事者専用プラットフォーム提供方法において、前記医療従事者専用プラットフォーム提供方法は、前記サーバ装置の前記制御部において実行される、前記端末装置から送信される前記医師会員情報���前記医師会員登録条件を満たすか否かを判定し、当該医師会員登録条件を満たさない場合に、当該医師会員情報の再送を要求するエラーメッセージを前記端末装置へ送信するエラーメッセージ送信ステップ、を更に含み、前記端末装置の前記表示制御ステップにおいて、前記サーバ装置から送信される前記エラーメッセージを前記表示部に表示させることが好ましい。【００１４】  上記医療従事者専用プラットフォーム提供方法において、前記医療従事者専用プラットフォーム提供方法は、前記サーバ装置の前記制御部において実行される、前記端末装置から再送される前記医師会員情報が前記医師会員登録条件を満たすか否かを判定し、当該医師会員登録条件を満たさない場合には、当該医師会員情報を前記医師会員情報記憶手段に登録しない、或いは、前記医師会員情報が前記医師会員情報記憶手段に既に登録済みの場合には、対象の前記医師会員情報を前記医師会員情報記憶手段から削除する会員管理ステップ、を更に含むことが好ましい。【００１５】  上記目的を達成するため、本発明のプログラムは、端末装置と通信可能に接続された制御部と記憶部とを少なくとも備えたサーバ装置に実行させるためのプログラムであって、前記記憶部は、所定の医師会員登録条件を満たす医師会員情報を記憶する医師会員情報記憶手段と、所定の医薬情報担当者会員登録条件を満たす医薬情報担当者会員情報を記憶する医薬情報担当者会員情報記憶手段と、を少なくとも備え、前記制御部において、前記端末装置の前記入力部を介して入力される前記医師会員情報又は前記医薬情報担当者会員情報を受信する会員情報受信ステップと、前記会員情報受信ステップにて受信された前記医師会員情報又は前記医薬情報担当者会員情報が、前記医師会員情報記憶手段又は前記医薬情報担当者会員情報記憶手段に記憶された会員情報に対応するか否かを判定する会員情報判定ステップと、前記会員情報判定ステップにて前記医師会員情報記憶手段又は前記医薬情報担当者会員情報記憶手段に記憶された会員情報に対応すると判定された場合には、対象の前記医師会員情報により特定される医師会員間、あるいは、対象の前記医師会員情報により特定される医師会員と対象の前記医薬情報担当者会員情報との間のコミュニケーションプラットフォームを、前記医師会員情報又は前記医薬情報担当者会員情報が入力された対象の前記端末装置へ提供するプラットフォーム提供ステップと、を実行させ、前記端末装置において、前記プラットフォーム提供ステップにて提供された前記コミュニケーションプラットフォームの各種コンテンツは、前記医師会員毎に定められた所定条件、または、前記医薬情報担当者会員毎に定められた所定条件に従って、当該端末装置が備える表示部に表示されることを特徴とする。【００１６】  また、本発明は記録媒体に関するものであり、上記記載のプログラムを記録したことを特徴とする。この記録媒体によれば、当該記録媒体に記録されたプログラムをコンピュータに読み取らせて実行させることによって、上記記載された方法をコンピュータを利用して実現することができ、これら各方法と同様の効果を得ることができる。
【発明の効果】
【００１７】  本発明に係る医療従事者専用プラットフォーム提供システム、医療従事者専用プラットフォーム提供方法、及びプログラムによれば、医療従事者（医師や医薬情報担当者等）がオンライン上でも安心して情報共有を行えるソーシャルネットワーキングのプラットフォームを提供できるという効果を奏する。
【図面の簡単な説明】
【００１８】
【図１】図１は、実施形態に係る医療従事者専用プラットフォーム提供システムの構成の一例を示すブロック図である。
【図２】図２は、実施形態に係る医療従事者専用プラットフォームの基本処理の一例を示すフローチャートである。
【図３】図３は、実施形態に係る医療従事者専用プラットフォームの会員登録処理の一例を示すフローチャートである。
【図４】図４は、実施形態に係るプラットフォームが提供された画面の一例を示す図である。
【図５】図５は、実施形態に係るプラットフォームが提供された画面の一例を示す図である。
【図６】図６は、実施形態に係るプラットフォームが提供された画面の一例を示す図である。
【図７】図７は、実施形態に係るプラットフォームが提供された画面の一例を示す図である。
【図８】図８は、実施形態に係るプラットフォームが提供された画面の一例を示す図である。
【図９】図９は、実施形態に係るプラットフォームが提供された画面の一例を示す図である。
【発明を実施するための形態】
【００１９】  以下に、本発明にかかる医療従事者専用プラットフォーム提供システム及び医療従事者専用プラットフォーム提供方法並びにプログラムの実施形態を図面に基づいて詳細に説明する。なお、この実施形態によりこの発明が限定されるものではない。また、下記実施形態における構成要素には、当業者が置換可能かつ容易なもの、或いは実質的同一のものが含まれる。
【００２０】［１．構成］
まず、実施形態に係る医療従事者専用プラットフォーム提供システムの構成について図１を参照して説明する。図１は、実施形態に係る医療従事者専用プラットフォーム提供システムの構成の一例を示すブロック図である。
【００２１】  図１に示すように、医療従事者専用プラットフォーム提供システムは、医療従事者が所持する端末装置１００と、医療従事者専用のプラットフォームを提供するサーバ装置２００とが、ネットワーク３００を介して通信可能に接続して構成されている。
【００２２】  図１において、ネットワーク３００は、端末装置１００とサーバ装置２００とを相互に接続する機能を有し、例えば、インターネット等である。
【００２３】  図１において、サーバ装置２００は、ネットワーク３００を介して、端末装置１００と相互に接続され、医療従事者に対して医療従事者専用のプラットフォームを提供する機能を有する。ここで、サーバ装置２００は、ＷＥＢサーバやＡＳＰサーバ等として構成していてもよい。また、サーバ装置２００のハードウェア構成は、一般に市販されるワークステーション、パーソナルコンピュータ等の情報処理装置およびその付属装置により構成していてもよい。また、サーバ装置２００の各機能は、サーバ装置２００のハードウェア構成中のＣＰＵ、ディスク装置、メモリ装置、入力装置、出力装置、通信制御装置等およびそれらを制御するプログラム等により実現される。
【００２４】  図１においてサーバ装置２００は、概略的に、制御部２０２と、通信制御インターフェース部２０４と、記憶部２０６と、を備えて構成される。ここで、制御部２０２は、サーバ装置２００の全体を統括的に制御するＣＰＵ等である。また、通信制御インターフェース部２０４は、通信回線等に接続されるルータ等の通信装置（図示せず）に接続されるインターフェースである。また、記憶部２０６は、各種のデータベースやテーブルなどを格納する装置である。これらサーバ装置２００の各部は任意の通信路を介して通信可能に接続されている。更に、このサーバ装置２００は、通信制御インターフェース部２０４を介して、ルータ等の通信装置および専用線等の有線または無線の通信回線などにより、ネットワーク３００に通信可能に接続されている。
【００２５】  記憶部２０６に格納される各種のデータベースやテーブル（例えば、医師会員情報データベース２０６ａ、医薬情報担当者会員情報データベース２０６ｂ、コンテンツデータベース２０６ｃ等）は、固定ディスク装置等のストレージ手段である。例えば、記憶部２０６は、各種処理に用いる各種のプログラムやテーブルやファイルやデータベースやウェブページ等を格納する。
【００２６】  これら記憶部２０６の各構成要素のうち、医師会員情報データベース２０６ａは、所定の医師会員登録条件を満たす医師会員情報を記憶する医師会員情報記憶手段である。本実施形態において、所定の医師会員登録条件は、氏名、勤務先、登録免許番号、及び、登録免許の画像データを少なくとも含む条件である。ここで、医師会員情報データベース２０６ａに記憶される医師会員情報は、後述の制御部２０２の処理により会員情報を照会する際等に用いられる。本実施形態において、医師会員情報とは、会員登録前は、医師会員登録条件を満たす本人特定情報を意味し、会員登録後は、対象の医師本人を一意に特定可能な識別情報（例えば、ＩＤとパスワード）を意味するものとする。
【００２７】  また、医薬情報担当者会員情報データベース２０６ｂは、所定の医薬情報担当者会員登録条件を満たす医薬情報担当者会員情報を記憶する医薬情報担当者会員情報記憶手段である。本実施形態において、所定の医薬情報担当者会員情報は、氏名、勤務先、認定資格番号又はそれに準ずる証明書、本人確認可能な証明書の画像データを少なくとも含む条件である。ここで、医薬情報担当者会員情報データベース２０６ｂに記憶される医薬情報担当者会員情報は、後述の制御部２０２の処理により会員情報を照会する際等に用いられる。本実施形態において、医薬情報担当者会員情報とは、会員登録前は、医薬情報担当者会員登録条件を満たす本人特定情報を意味し、会員登録後は、対象の医薬情報担当者本人を一意に特定可能な識別情報（例えば、ＩＤとパスワード）を意味する。
【００２８】  また、コンテンツデータベース２０６ｃは、要求に応じて端末装置１００へ提供する医療従事者専用のプラットフォーム（本明細書において、「コミュニケーションプラットフォーム」と呼ぶ場合がある）の各種コンテンツを記憶するコンテンツ記憶手段である。本実施形態において、コンテンツは、医療従事者が所持する端末装置１００において利用可能なデータやプログラム等である。ここで、コンテンツデータベース２０６ｃに記憶される各種コンテンツは、後述の制御部２０２の処理により端末装置１００へ提供する際に用いられる。
【００２９】  また、図１において、通信制御インターフェース部２０４は、サーバ装置２００とネットワーク３００（またはルータ等の通信装置）との間における通信制御を行う。すなわち、通信制御インターフェース部２０４は、他の端末と通信回線を介してデータを通信する機能を有する。
【００３０】  また、図１において、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、会員情報受信部２０２ａ、会員情報判定部２０２ｂ、プラットフォーム提供部２０２ｃ、会員登録部２０２ｄ、エラーメッセージ送信部２０２ｅ、及び、会員管理部２０２ｆを少なくとも備えて構成されている。
【００３１】  このうち、会員情報受信部２０２ａは、端末装置１００の入力部１１２を介して入力される医師会員情報又は医薬情報担当者会員情報を受信する会員情報受信手段である。
【００３２】  また、会員情報判定部２０２ｂは、会員情報受信部２０２ａにより受信された医師会員情報又は医薬情報担当者会員情報が、医師会員情報データベース２０６ａ又は医薬情報担当者会員情報データベース２０６ｂに記憶された会員情報に対応するか否かを判定する会員情報判定手段である。
【００３３】  また、プラットフォーム提供部２０２ｃは、会員情報判定部２０２ｂにより医師会員情報データベース２０６ａ又は医薬情報担当者会員情報データベース２０６ｂに記憶された会員情報に対応すると判定された場合には、対象の医師会員情報により特定される医師会員間、あるいは、対象の医師会員情報により特定される医師会員と対象の医薬情報担当者会員情報との間のコミュニケーションプラットフォームを、医師会員情報又は医薬情報担当者会員情報が入力された対象の端末装置１００へ提供するプラットフォーム提供手段である。
【００３４】  本実施形態において、コミュニケーションプラットフォームとは、医療従事者専用のプラットフォームを意味しており、医療従事者専用にカスタマイズされた各種ソーシャルネットワーキング（ＳＮＳ）等のプラットフォームを含む概念である。これらに限定されないが、例えば、コミュニケーションプラットフォームとしては、大別して、コミュニケーション系サービスと、情報提供系サービスとが挙げられる。
【００３５】  コミュニケーション系サービスとしては、例えば、つぶやく（Ｔｗｅｅｔ）機能、ダイアリー（Ｄｉａｒｙ）機能、ニュース（Ｎｅｗｓ）機能、エントランス（Ｅｎｄｔｒａｎｃｅ）機能などが挙げられる。ここで、つぶやく機能とは、医療従事者のユーザが思いついたことやシェアしたい情報を気軽に発信できる機能であり、フロー型のコミュニケーションで迅速な情報供給を実現する機能である。ダイアリー機能とは、日記、備忘録、気になる症例など、医療従事者のユーザがストックしておきたい内容を記録できる機能であり、必要に応じて医療従事者である特定の相手（グループ）との共有も簡単に実現可能な機能である。ニュース機能とは、簡易ＲＳＳリーダー機能であり、医療関連ニュースや医療従事者のユーザがチェックしたい情報元の各種ＲＳＳを管理し、オリジナルニュースページの作成が可能な機能である。エントランス機能とは、製薬企業の医療従事者（医薬情報担当者等）向けのサイトなどの各種会員サイトのＩＤ／パスワードを簡単管理できる機能であり、対応サイトでは自動ログインも実現可能な機能である。
【００３６】  情報提供系サービスとしては、例えば、メッセージ（Ｍｅｓｓａｇｅ）機能、アプリ（Ａｐｐｌｉｃａｔｉｏｎ）機能、クラウド（Ｃｌｏｕｄ  Ｓｔｏｒａｇｅ）機能、セッション（Ｓｅｓｓｉｏｎ）機能などが挙げられる。ここで、メッセージ機能とは、医療従事者である特定の知り合いやグループとチャットライクにメッセージング可能な機能であり、ユーザが日頃使っているメールと同じような感覚で利用可能であり、更に簡易アンケート機能も含まれるものである。アプリ機能とは、医療従事者のユーザに関するＷｅｂ講演会の視聴、論文検索、各種計算ツールなど製薬企業や学会の会員サイトや、Ｐｕｂｍｅｄ等の医療系サイトへのリンクといった医療の現場で便利なサービスやツールを、アプリケーションとして一元管理可能な機能である。クラウド機能とは、医療従事者のユーザ専用のオンライン上のファイル置き場を提供する機能であり、書類だけでなく音声や動画も保存でき、且つ、アップロードしたファイルを簡単に共有可能な機能である。セッション機能とは、サーバ装置２００が提供するコミュニケーションプラットフォーム上で、医療従事者の登録ユーザであれば誰でも閲覧または参加可能なディスカッションボードの機能であり、ユーザは時間制限による密な議論を交わしながら、新しい仲間を見つけることが可能な機能である。
【００３７】  なお、上記コミュニケーションプラットフォームは、本願明細書において、上述の各機能のアルファベットの頭文字をとりＴｍｄａｎｃｅ（登録商標）機能と呼ぶことがある。Ｔｍｄａｎｃｅ機能においては、情報の送信者に情報ハンドリングの権利があるように設計されている。例えば、一般的な電子メールの場合、送信後の取り消しは非常に困難であるが、Ｔｍｄａｎｃｅ機能では、送信者は、送信後の取り消しも可能であり、更に、受信者が一度開封した場合であっても、後から削除が可能なように設計されている。この設計思想は、上記のつぶやく機能、メッセージ機能など全てのコミュニケーション系サービスに適用されている。また、Ｔｍｄａｎｃｅ機能上における著作権については、投稿またはアップロードされた医療従事者に帰属するものとしている。
【００３８】  また、会員登録部２０２ｄは、端末装置１００の入力部１１２を介して入力され送信される医師会員情報が医師会員登録条件を満たすか否かを判定し、当該医師会員登録条件を満たす場合に、当該医師会員情報を医師会員情報データベース２０６ａに登録する会員登録手段である。ここで、会員登録部２０２ｄは、端末装置１００の入力部１１２を介して入力され送信される医薬情報担当者会員情報が医薬情報担当者会員登録条件を満たすか否かを判定し、当該医薬情報担当者会員登録条件を満たす場合に、当該医薬情報担当者会員情報を医薬情報担当者会員情報データベース２０６ｂに登録する会員登録手段であってもよい。
【００３９】  また、エラーメッセージ送信部２０２ｅは、端末装置１００から送信される医師会員情報が医師会員登録条件を満たすか否かを判定し、当該医師会員登録条件を満たさない場合に、当該医師会員情報の再送を要求するエラーメッセージを端末装置１００へ送信するエラーメッセージ送信手段である。ここで、エラーメッセージ送信部２０２ｅは、端末装置１００から送信される医薬情報担当者会員情報が医薬情報担当者会員登録条件を満たすか否かを判定し、当該医薬情報担当者会員登録条件を満たさない場合に、当該医薬情報担当者会員情報の再送を要求するエラーメッセージを端末装置１００へ送信するエラーメッセージ送信手段であってもよい。
【００４０】  また、会員管理部２０２ｆは、端末装置１００から再送される医師会員情報が医師会員登録条件を満たすか否かを判定し、当該医師会員登録条件を満たさない場合には、当該医師会員情報を医師会員情報データベース２０６ａに登録しない、或いは、医師会員情報が医師会員情報データベース２０６ａに既に登録済みの場合には、対象の医師会員情報を医師会員情報データベース２０６ａから削除する会員管理手段である。  ここで、会員管理部２０２ｆは、端末装置１００から再送される医薬担当者会員情報が医薬担当者会員登録条件を満たすか否かを判定し、当該医薬担当者会員登録条件を満たさない場合には、当該医薬担当者会員情報を医薬担当者会員情報データベース２０６ｂに登録しない、或いは、医薬担当者会員情報が医薬担当者会員情報データベース２０６ｂに既に登録済みの場合には、対象の医薬担当者会員情報を医薬担当者会員情報データベース２０６ｂから削除する会員管理手段であってもよい。
【００４１】  図１において端末装置１００は、概略的に、制御部１０２と、通信制御インターフェース部１０４と、記憶部１０６と、入出力制御インターフェース部１０８と、入力部１１２と、出力部（表示部１１４及び音声出力部１１６）と、を備えて構成される。ここで、制御部１０２は、端末装置１００の全体を統括的に制御するＣＰＵ等である。また、通信制御インターフェース部１０４は、通信回線等に接続されるルータ等の通信装置（図示せず）に接続されるインターフェースである。また、記憶部１０６は、各種のデータベースやテーブルなどを格納する装置である。また、入出力制御インターフェース部１０８は、入力部１１２や出力部（表示部１１４及び音声出力部１１６）に接続されるインターフェースである。これら端末装置１００の各部は任意の通信路を介して通信可能に接続されている。更に、この端末装置１００は、通信制御インターフェース部１０４を介して、ルータ等の通信装置および専用線等の有線または無線の通信回線などにより、ネットワーク３００に通信可能に接続されている。本実施形態において、端末装置１００は、パーソナルコンピュータ等の情報処理端末装置であってもよいし、携帯電話やスマートフォン等の携帯型の情報処理端末装置であってもよい。
【００４２】  記憶部１０６に格納される各種のデータベースやテーブル（例えば、コンテンツファイル１０６ａ等）は、固定ディスク装置等のストレージ手段である。例えば、記憶部１０６は、各種処理に用いる各種のプログラムやテーブルやファイルやデータベースやウェブページ等を格納する。
【００４３】  これら記憶部１０６の各構成要素のうち、コンテンツファイル１０６ａは、サーバ装置２００から提供される医療従事者専用のプラットフォームを表示部１１４に表示させる際等に必要なコンテンツを一時的に格納するコンテンツ記憶手段である。本実施形態において、コンテンツは、医療従事者が所持する端末装置１００において利用可能なデータやプログラム等である。ここで、コンテンツファイル１０６ａに記憶される各種コンテンツは、後述の制御部１０２の処理により表示部１１４に表示される際に用いられる。
【００４４】  また、図１において、通信制御インターフェース部１０４は、端末装置１００とネットワーク３００（またはルータ等の通信装置）との間における通信制御を行う。すなわち、通信制御インターフェース部１０４は、他の端末と通信回線を介してデータを通信する機能を有する。
【００４５】  また、図１において、入出力制御インターフェース部１０８は、入力部１１２や出力部（表示部１１４及び音声出力部１１６）の制御を行う。ここで、表示部１１４としては、モニタ（家庭用テレビを含む）等を用いることができる。また、音声出力部１１６としては、内蔵スピーカやブザー等を用いることができる。また、入力部１１２としては、キーボード、マウス、およびマイク等を用いることができる。なお、端末装置１００がスマートフォン等の携帯型の情報処理端末装置である場合、入力部１１２と表示部１１４とはタッチパネル型で構成されてもよい。
【００４６】  また、図１において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、表示制御部１０２ａを少なくとも備えて構成されている。
【００４７】  このうち、表示制御部１０２ａは、サーバ装置２００により提供されたコミュニケーションプラットフォームの各種コンテンツを、医師会員毎に定められた所定条件、または、医薬情報担当者会員毎に定められた所定条件に従って、表示部１１４に表示させる表示制御手段である。表示制御部１０２ａにより表示されるコミュニケーションプラットフォームの各種コンテンツの表示例については、後述の図４乃至８等が挙げられるが、これらに限定されない。この他、表示制御部１０２ａは、サーバ装置２００から送信されるエラーメッセージを表示部１１４に表示させてもよい。
【００４８】  なお、図１に示した医療従事者専用プラットフォーム提供システムにおいて、サーバ装置２００に対して単独の端末装置１００が通信可能に接続されている例を挙げているが、これは説明を簡便にするためであり、実際は、サーバ装置２００に対して医療従事者毎の端末装置１００−１〜ｎが通信可能に接続されている実施形態を想定している。
【００４９】  続いて、このように構成された本実施形態における医療従事者専用プラットフォーム提供システムの処理の一例について、以下に図２及び図３を参照して詳細に説明する。
【００５０】  まず、図２を参照して実施形態に係る医療従事者専用プラットフォームの基本処理について説明する。図２は、図２は、実施形態に係る医療従事者専用プラットフォームの基本処理の一例を示すフローチャートである。
【００５１】  図２に示すように、端末装置１００の制御部１０２は、端末装置１００の入力部１１２を介して入力された医師会員情報又は医薬情報担当者会員情報をサーバ装置２００へ送信する（ステップＳＡ−１）。ステップＳＡ−１において、医師会員情報及び医薬情報担当者会員情報とは、上述のように会員登録後であるため、対象の医師本人や医薬情報担当者本人を一意に特定可能な識別情報（例えば、ＩＤとパスワード）を意味するものとする。
【００５２】  そして、サーバ装置２００の会員情報受信部２０２ａは、ステップＳＡ−１にて端末装置１００の制御部１０２の処理により送信された医師会員情報又は医薬情報担当者会員情報を受信する（ステップＳＡ−２）。
【００５３】  そして、サーバ装置２００の会員情報判定部２０２ｂは、ステップＳＡ−２にて会員情報受信部２０２ａの処理により受信された医師会員情報又は医薬情報担当者会員情報が、医師会員情報データベース２０６ａ又は医薬情報担当者会員情報データベース２０６ｂに記憶された会員情報に対応するか否かを判定する（ステップＳＡ−３）。ステップＳＡ−３の判定結果は次のステップＳＡ−４の処理で用いられる。
【００５４】  ここで、ステップＳＡ−４において、サーバ装置２００の会員情報判定部２０２ｂは、医師会員情報データベース２０６ａ及び医薬情報担当者会員情報データベース２０６ｂに記憶された会員情報に対応しないと判定した場合（ステップＳＡ−４：Ｎｏ）には、次の処理としてステップＳＡ−５へ移行する。一方、ステップＳＡ−４において、サーバ装置２００の会員情報判定部２０２ｂは、医師会員情報データベース２０６ａ及び医薬情報担当者会員情報データベース２０６ｂに記憶された会員情報に対応すると判定した場合（ステップＳＡ−４：Ｙｅｓ）には、次の処理としてステップＳＡ−６へ移行する。
【００５５】  ステップＳＡ−４において、会員情報判定部２０２ｂの処理により会員情報に対応しないと判定された場合（ステップＳＡ−４：Ｎｏ）、サーバ装置２００のエラーメッセージ送信部２０２ｅは、会員情報の再送を要求するエラーメッセージを端末装置１００へ送信し、端末装置１００の表示制御部１０２ａは、当該エラーメッセージを端末装置１００の表示部１１２に表示させる（ステップＳＡ−５）。その後、端末装置１００の表示制御部１０２ａは、図示しないがログイン画面等の会員情報入力画面などを表示部１１２に表示させて会員情報の入力待機状態に移行する。そして、端末装置１００の制御部１０２は、会員情報入力確認後に、ステップＳＡ−１に戻り図２が示す本処理を続けるものとする。
【００５６】  ステップＳＡ−４において、会員情報判定部２０２ｂの処理により会員情報に対応すると判定された場合（ステップＳＡ−４：Ｙｅｓ）、サーバ装置２００のプラットフォーム提供部２０２ｃは、対象の医師会員情報により特定される医師会員間、あるいは、対象の医師会員情報により特定される医師会員と対象の医薬情報担当者会員情報との間のコミュニケーションプラットフォームを、医師会員情報又は医薬情報担当者会員情報が入力された対象の端末装置１００へ提供する（ステップＳＡ−６）。その後、図２に示すサーバ装置２００の処理を終了する。
【００５７】  そして、端末装置１００の表示制御部１０２ａは、ステップＳＡ−６にてサーバ装置２００のプラットフォーム提供部２０２ｃの処理により提供されたコミュニケーションプラットフォームの各種コンテンツを、医師会員毎に定められた所定条件、または、医薬情報担当者会員毎に定められた所定条件に従って、表示部１１４に表示させる（ステップＳＡ−７）。その後、図２に示す端末装置１００の処理を終了する。
【００５８】  なお、ステップＳＡ−７において、端末装置１００の表示制御部１０２ａは、これらに限定されないが、Ｔｍｄａｎｃｅ機能を実行する各種コンテンツの一例として、例えば、図４乃至８等に示すような画面を表示部１１４に表示させる。ここで、図４乃至図８は、実施形態に係るプラットフォームが提供された画面の一例を示す図である。例えば、図４に示すホーム画面では、「つぶやき」、「メッセージ」、「ダイアリー」、「ニュース」等の機能がまとめて表示されている。図４の画面では、各機能に対して他の閲覧ユーザが「共感」、「感謝」、「感動」、「尊敬」等といったリアクションを示すことが可能なボタンも表示されている（図４（ａ））。図５の画面では、投稿した本人であれば、投稿後に編集したり削除することが可能である様子を示している（図５（ｂ））。図６の画面では、どのユーザがどのユーザ宛に情報提供しているかがビジュアルで表示される様子を示している（図６（ｃ）、（ｄ））。また、図６の画面では、フロータイプのコミュニケーションが表示される様子を示している。また、図７の画面では、討論の場であるセッションでは、実名と匿名を作成者が選択可能である様子を示している（図７（ｅ）、（ｆ））。また、図８の画面では、どのユーザからどのユーザ宛にどのメッセージで共有したものであるかが明確に表示される様子を示している（図８（ｇ））。また、図９の画面では、ユーザが購読しているニュースからセッションを立ち上げることや、他のユーザにシェアすることが可能である様子を示している（図９（ｉ）、（ｊ））。
【００５９】  次に、図３を参照して実施形態に係る医療従事者専用プラットフォームの会員登録処理について説明する。図３は、実施形態に係る医療従事者専用プラットフォームの会員登録処理の一例を示すフローチャートである。
【００６０】  図３に示すように、端末装置１００の制御部１０２は、端末装置１００の入力部１１２を介して入力された医師会員情報又は医薬情報担当者会員情報をサーバ装置２００へ送信する（ステップＳＢ−１）。ステップＳＢ−１において、医師会員情報及び医薬情報担当者会員情報とは、上述のように会員登録前であるため、医師会員登録条件や医薬情報担当者会員登録条件を満たす本人特定情報を意味するものとする。
【００６１】  そして、サーバ装置２００の会員情報受信部２０２ａは、ステップＳＢ−１にて端末装置１００の制御部１０２の処理により送信された医師会員情報又は医薬情報担当者会員情報を受信する（ステップＳＢ−２）。
【００６２】  そして、サーバ装置２００の会員登録部２０２ｄは、ステップＳＢ−２にて会員情報受信部２０２ａの処理により受信された医師会員情報が医師会員登録条件を満たすか否かを判定する（ステップＳＢ−３）。また、ステップＳＢ−３において、会員登録部２０２ｄは、ステップＳＢ−２にて会員情報受信部２０２ａの処理により受信された医薬情報担当者会員情報が医薬情報担当者会員登録条件を満たすか否かを判定する。ステップＳＢ−３の判定結果は次のステップＳＢ−４の処理で用いられる。
【００６３】  ステップＳＢ−４において、会員登録部２０２ｄの処理により医師会員情報が医師会員登録条件を満たさないと判定された場合（ステップＳＢ−４：Ｎｏ）、サーバ装置２００のエラーメッセージ送信部２０２ｅは、医師会員情報の再送を要求するエラーメッセージを端末装置１００へ送信し、端末装置１００の表示制御部１０２ａは、当該エラーメッセージを端末装置１００の表示部１１２に表示させる（ステップＳＢ−５）。その後、端末装置１００の表示制御部１０２ａは、図示しないが必要事項を記入するための専用フォーム画面等の会員情報入力画面などを表示部１１２に表示させて会員情報の入力待機状態に移行する。そして、端末装置１００の制御部１０２は、会員情報入力確認後に、ステップＳＢ−１に戻り図３が示す本処理を続けるものとする。なお、会員登録部２０２ｄの処理により医薬情報担当者会員情報が医薬情報担当者会員登録条件を満たさないと判定された場合も、上記のように医師と同様のエラーメッセージ送信処理を行う為、詳細な説明については省略する。
【００６４】  ステップＳＢ−４において、会員登録部２０２ｄの処理により医師会員情報が医師会員登録条件を満たすと判定された場合（ステップＳＡ−４：Ｙｅｓ）、サーバ装置２００の会員登録部２０２ｄは、当該医師会員情報を医師会員情報データベース２０６ａに登録する（ステップＳＢ−６）。なお、図示しないが、ステップＳＢ−６の処理の後、サーバ装置２００の制御部２０２は、端末装置１００に対して、登録完了通知や、会員登録後に用いる会員情報としての識別情報（例えば、ＩＤとパスワード）を送信するものとする。また、なお、会員登録部２０２ｄの処理により医薬情報担当者会員情報が医薬情報担当者会員登録条件を満たすと判定された場合も、上記のように医師と同様の会員登録処理を行う為、詳細な説明については省略する。その後、図３に示す本処理を終了する。
【００６５】  なお、図３に図示していないが、この他、サーバ装置２００の会員管理部２０２ｆは、端末装置１００から再送される医師会員情報が医師会員登録条件を満たすか否かを判定し、当該医師会員登録条件を満たさない場合には、当該医師会員情報を医師会員情報データベース２０６ａに登録しなくてもよい。同様に、サーバ装置２００の会員管理部２０２ｆは、端末装置１００から再送される医薬担当者会員情報が医薬担当者会員登録条件を満たすか否かを判定し、当該医薬担当者会員登録条件を満たさない場合には、当該医薬担当者会員情報を医薬担当者会員情報データベース２０６ｂに登録しなくてもよい。
【００６６】  この他、サーバ装置２００の会員管理部２０２ｆは、医師会員情報が医師会員情報データベース２０６ａに既に登録済みの場合には、対象の医師会員情報を医師会員情報データベース２０６ａから削除してもよい。同様に、サーバ装置２００の会員管理部２０２ｆは、医薬担当者会員情報が医薬担当者会員情報データベース２０６ｂに既に登録済みの場合には、対象の医薬担当者会員情報を医薬担当者会員情報データベース２０６ｂから削除してもよい。
【００６７】  以上説明したように、本実施形態に係る医療従事者専用プラットフォーム提供システム、医療従事者専用プラットフォーム提供方法、及びプログラムによれば、医療従事者（医師や医薬情報担当者等）がオンライン上でも安心して情報共有を行えるソーシャルネットワーキングのプラットフォームを提供することができる。
【００６８】  さて、これまで本発明の実施形態について説明したが、本発明は、上述した実施形態以外にも、特許請求の範囲に記載した技術的思想の範囲内において種々の異なる実施の形態にて実施されてよいものである。
【００６９】  また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７０】  このほか、上記文献中や図面中で示した処理手順、制御手順、具体的名称、各処理の登録データや検索条件等のパラメータを含む情報、画面例、データベース構成については、特記する場合を除いて任意に変更することができる。
【００７１】  また、端末装置１００に関して、図示の各構成要素は機能概念的なものであり、必ずしも物理的に図示の如く構成されていることを要しない。
【００７２】  例えば、端末装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７３】  また、このコンピュータプログラムは、端末装置１００に対して任意のネットワーク３００を介して接続されたアプリケーションプログラムサーバに記憶されていてもよく、必要に応じてその全部または一部をダウンロードすることも可能である。
【００７４】  また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００７５】  また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００７６】  記憶部１０６や記憶部２０６に格納される各種のデータベース等は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【００７７】  また、端末装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００７８】  更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【００７９】  このような医療従事者専用プラットフォーム提供システム、医療従事者専用プラットフォーム提供方法、及びプログラムは、強力なセキュリティー環境の下、医療従事者のみが実名で参加する完全クローズドのネットワークサービスを提供可能であるため、医療情報産業にとって特に有用であり、産業上の利用可能性は極めて大きいものである。
【符号の説明】
【００８０】１００  端末装置
１０２  制御部
１０２ａ  表示制御部
１０４  通信制御インターフェース部
１０６  記憶部
１０６ａ  コンテンツファイル
１０８  入出力制御インターフェース部
１１２  入力部
１１４  表示部
１１６  音声出力部
２００  サーバ装置
２０２  制御部
２０２ａ  会員情報受信部
２０２ｂ  会員情報判定部
２０２ｃ  プラットフォーム提供部
２０２ｄ  会員登録部
２０２ｅ  エラーメッセージ送信部
２０２ｆ  会員管理部
２０６  記憶部
２０６ａ  医師会員情報データベース
２０６ｂ  医薬情報担当者会員情報データベース
２０６ｃ  コンテンツデータベース
３００  ネットワーク
【図１】
2016095818.tif 000003
【図２】
2016095818.tif 000004
【図３】
2016095818.tif 000005
【図４】
2016095818.tif 000006
【図５】
2016095818.tif 000007
【図６】
2016095818.tif 000008
【図７】
2016095818.tif 000009
【図８】
2016095818.tif 000010
【図９】
2016095818.tif 000011